(57)【要約】      （修正有）【課題】子供が乗物玩具を利用する時、シートに座り本体内に配設された開口部を子供の脚及び足が通って走行面と接触し、乗物玩具を推進させることができるが、一方、大人の保護者のような、玩具の本体の外側に立った人が玩具を推進するのを容易にする。【解決手段】子供の乗物玩具２０は、第一の案内レールと、第二の案内レールと、シート２９と、第一の案内レール及び第二の案内レールと摺動可能に係合する足載せ部３６とを含む。足載せ部３６は、作動位置と格納位置との間を摺動し、格納位置は、乗物玩具のシート２９の下方にある。足載せ部３６は、底部壁と、前端壁と、後端壁と、第一の側壁と、第二の側壁とを含む。第一及び第二の側壁は、玩具本体の第一及び第二の案内レールと係合する第一及び第二の案内レール溝を画成する外縁部を特徴とする。【選択図】図１
2009143558.tif 000002
【特許請求の範囲】
【請求項１】
子供の乗物玩具において、
ａ）複数の車輪が装着された本体と、
ｂ）シートと、
ｃ）前記本体と摺動可能に係合する足載せ部とを備える、子供の乗物玩具。
【請求項２】
請求項１に記載の子供の乗物玩具において、前記足載せ部は、作動位置と、格納位置とを有する、子供の乗物玩具。
【請求項３】
請求項２に記載の子供の乗物玩具において、前記足載せ部の前記格納位置は、前記シートの下方にある、子供の乗物玩具。
【請求項４】
請求項１に記載の子供の乗物玩具において、前記本体は、第一の案内レールと、第二の案内レールとを更に備え、前記足載せ部は、前記第一の案内レール及び前記第二の案内レールと摺動可能に係合する、子供の乗物玩具。
【請求項５】
請求項１に記載の子供の乗物玩具において、前記足載せ部は、底部壁と、第一の側壁と、第二の側壁とを備える、子供の乗物玩具。
【請求項６】
請求項５に記載の子供の乗物玩具において、前記足載せ部は、隣接するハンドルを有する前端壁を備える、子供の乗物玩具。
【請求項７】
請求項５に記載の子供の乗物玩具において、前記第一の側壁は、第一の案内レール溝を画成する外縁部を備え、また、前記第二の側壁は、第二の案内レール溝を画成する外縁部を備える、子供の乗物玩具。
【請求項８】
請求項１に記載の子供の乗物玩具において、前記本体と接続される少なくとも１つの操作レバーを更に有する、子供の乗物玩具。
【請求項９】
請求項８に記載の子供の乗物玩具において、前記本体は、前側部分と、後側部分とを更に備え、前記操作レバーは前記後側部分と接続され且つ、少なくとも１つの後退位置と、伸長位置とを有するように伸縮式ハンドルである、子供の乗物玩具。
【請求項１０】
子供の乗物玩具において、
ａ）第一の案内レールと、第二の案内レールとを備える本体と、
ｂ）シートと、
ｃ）前記第一の案内レールと前記第二の案内レールと係合する足載せ部とを備える、子供の乗物玩具。
【請求項１１】
請求項１０に記載の子供の乗物玩具において、前記足載せ部は、作動位置と、格納位置とを有する、子供の乗物玩具。
【請求項１２】
請求項１１に記載の子供の乗物玩具において、前記足載せ部の前記格納位置は、前記シートの下方にある、子供の乗物玩具。
【請求項１３】
請求項１に記載の子供の乗物玩具において、前記足載せ部は、底部壁と、前端壁と、後端壁と、第一の側壁と、第二の側壁とを備える、子供の乗物玩具。
【請求項１４】
請求項１３に記載の子供の乗物玩具において、前記第一の側壁は、第一の案内レール溝を画成する外縁部を備え、また、前記第二の側壁は、第二の案内レール溝を画成する外縁部を備える、子供の乗物玩具。
【請求項１５】
請求項１４に記載の子供の乗物玩具において、前記第一の案内レール溝は前記第一の案内レールと摺動可能に係合し、前記第二の案内レール溝は前記第二の案内レールと摺動可能に係合する、子供の乗物玩具。
【請求項１６】
請求項１に記載の子供の乗物玩具において、前記本体は、少なくとも１つの操作レバーを更に備える、子供の乗物玩具。
【請求項１７】
請求項１６に記載の子供の乗物玩具において、前記操作レバーは、少なくとも１つの後退位置と、伸長位置とを有する伸縮式ハンドルである、子供の乗物玩具。
【請求項１８】
子供の乗物玩具において、
ａ）本体と、
ｂ）シートと、
ｃ）底部壁と、前端壁と、後端壁と、第一の側壁と、第二の側壁とを備え、前記足載せ部の前記側壁は、前記本体と摺動可能に係合する、子供の乗物玩具。
【請求項１９】
請求項１８に記載の子供の乗物玩具において、前記足載せ部は、作動位置と、格納位置と、を有する、子供の乗物玩具。
【請求項２０】
請求項１９に記載の子供の乗物玩具において、前記足載せ部の前記格納位置は、前記シートの下方にある、子供の乗物玩具。
【発明の詳細な説明】
【技術分野】
【０００１】
［０００１］  本発明は、全体として、子供用の乗物玩具、より詳細には、かかる乗物玩具と共に使用される可動の足載せ部に関する。
【背景技術】
【０００２】
［０００２］  乗物玩具は、三輪車、二輪車、スクータ、車及びその他の玩具を含むが、これらにのみ限定されない多岐にわたる形態にて利用可能である。乗物玩具は、全体として、複数の車輪と、乗物玩具を利用する間、子供が座るためのシートとを有している。乗物玩具は、全体として、子供が把持する操縦ハンドル又はハンドルバーも有しており、それらの幾つかの型式は、乗物玩具を操縦するのに利用でき、また、それらの幾つかの型式は、操縦のために利用できない。乗物玩具は、色々な態様にて動くよう推進させることができるが、主として、子供の足の力を介して推進される。足の力は、例えば、ペダルを使用し、又は、舗装面又は草のような走行面に足が直接、接触することにより供給することができる。
【発明の概要】
【発明が解決しようとする課題】
【０００３】
［０００３］  本発明の乗物玩具は、複数の車輪が装着された本体と、該本体に装着されたシートとを含むことが好ましい。全体として、子供は、乗物玩具を利用する間、シートに座る。好ましい実施の形態において、本発明の乗物玩具は、玩具の本体内に配設された開口部を有しており、該開口部を子供の脚及び足が通って走行面と接触し且つ乗物玩具を推進させることができる。本発明の乗物玩具は、例えば、大人の保護者のような、玩具の本体の外側に立った人が玩具を推進するのを容易にする特徴も有している。
【課題を解決するための手段】
【０００４】
［０００４］  本発明の乗物玩具は、可動の足載せ部を含む。好ましい実施の形態において、足載せ部は、乗物玩具の本体と摺動可能に係合する。可動の足載せ部は作動位置と、格納位置とを有することも好ましい。かかる実施の形態において、足載せ部は、子供が実質的に妨害されない態様にて乗物玩具を操作することを可能にする格納位置を有することが好ましい。子供は、また、足載せ部内にどんとぶつかったり又は足載せ部を蹴飛ばすことなく、自分の脚又は足を使用して玩具を推進することができる。特に好ましい実施の形態において、足載せ部の格納位置は、乗物玩具のシートの下方にある。かかる実施の形態において、足載せ部は、足載せ部を乗物玩具の前側に向けて動かすことにより、その格納位置からその作動位置まで動かし、子供がシートに座り且つ、自分の足を足載せ部の上に又は足載せ部内に配置することができる。このようにして、子供は、別の人間が乗物玩具を推進する間、自分の足を地面から安全に離すことができる。
【０００５】
［０００５］  少なくとも幾つかの好ましい実施の形態において、本発明の乗物玩具は、玩具の本体の外側から乗物玩具を推進させる人が使用することのできる、少なくとも１つの操作レバーも含む。操作レバーは、本体と接続するか、又は本体の一部分として一体的に成形し又は一部分としての形状とすることができる。乗物玩具の本体は、全体として、前側部分と、後側部分とを含む。単一の操作レバーを有する実施の形態において、操作レバーは、人間が玩具の後方に立ち且つ玩具を押す能力を向上させ得るよう後側部分に配置されることが好ましい。操作レバーは、少なくとも１つの後退位置と、伸長位置とを有する伸縮式ハンドルであることが特に好ましい。かかる実施の形態において、操作レバーは、玩具の外側から玩具を推進する人間が使用できるよう伸長させ、また、玩具に座った子供が玩具を推進させるような、使用しないとき、後退させることができる。
【０００６】
［０００６］  従って、少なくとも１つの形態において、本発明は、複数の車輪が装着された本体と、シートと、本体と摺動可能に係合する足載せ部とを備える子供の乗物玩具を提供する。好ましい実施の形態において、本体は、第一の案内レールと、第二の案内レールとを更に含み、足載せ部は、第一の案内レール及び第二の案内レールと摺動可能に係合する。幾つかの実施の形態において、足載せ部は、底部壁と、前端壁と、後端壁と、第一の側壁と、第二の側壁とを含む。かかる実施の形態において、足載せ部の側壁は本体と摺動可能に係合する。例えば、かかる少なくとも１つの実施の形態において、第一の側壁は第一の案内レール溝を画成する外縁部を含み、また、第二の側壁は第二の案内レール溝を画成する外縁部を含む。足載せ部の案内レール溝は、本体の案内レールと摺動可能に係合することができる。
【発明を実施するための最良の形態】
【０００７】
［００１４］  本発明の乗物玩具の１つの実施の形態は、図１−図４に全体として参照番号２０で示されている。図１−図４に示したように、乗物玩具は、本体２２と、１対の前車輪２４ａ、２４ｂと、装着された１対の後車輪２６ａ、２６ｂとを特徴とする。乗物玩具２０は、また、操縦ハンドル２７と、その上に子供が座ることができるシート２９とを有している。図１−図４に示したように、乗物玩具の本体２２は、自動車の外観となるように形成されている。その他の実施の形態において、本体は、例えば、ボート、飛行機、宇宙船、又はロケット、動物、オートバイ、トラック、列車、又は子供にとって魅力的な任意のその他の形態物のような任意の適宜な形態物を有することができる。
【０００８】
［００１５］  更に、乗物玩具２０は、後退した形態にて図１−図４に示したような、玩具本体の後側部分と接続された伸縮式操作レバー２８を特徴とすることが好ましい。操作レバー２８は、玩具に乗る子供以外の人間がアクセスし且つ押し又は引っ張ることが容易であるよう図２に仮想線で示した伸びた位置まで持ち上げることができる。その他の実施の形態において、少なくとも１つの操作レバーは、例えば、乗物玩具の前側部分又は乗物玩具の側部のような、乗物玩具の本体の任意の箇所に配置することができる。更に、操作レバーは、折畳み、後退させ、一定の長さとし又は取り外し可能とさえしてもよい。本発明の乗物玩具の更にその他の実施の形態において、乗物玩具は操作レバーを有しない。その代わり、玩具に乗る子供以外の人間が本体の異なる部分を把持することにより乗物玩具を押し又は引っ張ることができる。
【０００９】
［００１６］  図１−図４に示した実施の形態において、乗物玩具の前車輪２４は、キャスタ３０により本体の前側部分に取り付けられることが好ましく、また、操作レバー２８は、前車輪と作用可能に接続されていない。しかし、キャスタは、操作レバー２８に加えられた直接的な力によって乗物玩具を押し且つ操縦することが可能である。更に、操縦ハンドル２７は、子供が回すことができる一方、前車輪２４と作用可能に接続されていない。乗物玩具を操作する子供は、自分の足にて走行面に直接的な力を加えることによって玩具を操縦することが好ましい。他の実施の形態において、操作レバー又は操縦ハンドルの何れも前車輪と作用可能に接続されるようにすることができる。
【００１０】
［００１７］  以下により詳細に説明するように、足載せ部３６は、また、本体に取り付けられ、また、図１に示した作動位置と、図２−図４に示した格納位置との間にて摺動することができる。足載せ部３６が図１に示した作動位置にあるとき、子供は、自分の足を足載せ部３６内に又は足載せ部３６の少なくとも幾つかの部分に配置しつつ、シート２９に座り且つ、操縦ハンドル２８を把持することができる。このことは、玩具がベビーカーと同様の態様にて作用するよう伸びた押し操作レバー２８により玩具を押すことを容易にする。
【００１１】
［００１８］  足載せ部３６が図２−図４に示したように、シート２９の下方の格納位置にあるとき、子供は、自分の脚を形成される開口部４０を通って配置し（図３及び図４）、玩具が配置される歩道又は床のような表面に沿って自分の足を動かすことによって子供が玩具を推進させることができるようにする。かかる形態において、玩具は、足−床の乗物玩具として機能する。
【００１２】
［００１９］  本発明の可動の足載せ部は、トレー、引出し又はＴ字形バーを含むが、これらにのみ限定されない足載せ部として使用するのに適した任意の装置を含むことができる。好ましい実施の形態において、足載せ部は、少なくとも底部壁と、第一の側壁と、第二の側壁とを有するトレーである。より詳細には、足載せ部は、前端壁と、後端壁とを有するかかるトレーである。例えば、足載せ部の拡大図が図５に示されており、この場合、足載せ部は、全体として参照番号３６で示されている。図５に示したように、可動の足載せ部３６は、底部壁１０２と、前端壁１０４と、後端壁１０６と、第一の側壁１０８と、第二の側壁１１０とを含む。前端壁１０４は、ハンドル１１６を更に含むことが好ましい。ハンドル１１６は、足載せ部をその作動位置（図１に図示）と、その格納位置（図２−図４に図示）との間にて動かすとき、足載せ部を把持するため使用される。
【００１３】
［００２０］  第一及び第二の側壁１０８、１１０はそれぞれ外縁部１１２、１１４を含む。外縁部１１２、１１４は、前端壁１０４及び後端壁１０６の双方の高さの上を伸び且つ、乗物玩具の本体上に配置された案内レールと摺動可能に係合する構成とされることが好ましい。
【００１４】
［００２１］  図５に示した足載せ部３６の実施の形態において、外縁部１１２は、第一の側壁１０８から離れて外方に湾曲しており、乗物玩具の本体上の第一の案内レールと摺動可能に係合する第一の長手方向溝を形成する。同様に、外縁部１１４は、第二の側壁１１０から離れて外方に湾曲して、乗物玩具の本体上の第二の案内レールと摺動可能に係合する第二の長手方向溝を形成する。
【００１５】
［００２２］  図６は、全体として、参照番号３６で示した、図５の可動の足載せ部の正面図である。図６に示したように、外縁部１１２、１１４の湾曲部は、逆「Ｕ」字形に類似したものであることが好ましい。しかし、外縁部１１２、１１４の湾曲部は、例えば、逆「Ｖ」字形又は四角形のような、乗物玩具の本体上の案内レールと摺動可能に係合するのに適した断面を有するようにしてもよいことも理解すべきである。図６には、また、側壁１１０、１０８は、側壁間の距離が足載せ部の底部よりもその頂部にてより大きいような角度とされることが好ましいことが示されている。更に、図４に示したように、後端壁１０６の頂端縁は、前端壁１０４の頂端縁よりも高いことが好ましい。
【００１６】
［００２３］  図７は、図２の線５−５に沿った図１−図４の乗物玩具の拡大断面図である。全体として参照番号２２で示した本体は、第一の案内レール１２０と、第二の案内レール１２２とを有している。全体として参照番号３６で示した足載せ部は、第一及び第二の案内レール１２０、１２２と摺動可能に係合する。より詳細には、上述したように、側壁１０８は、第一の案内レール溝１２４を画成する外縁部１１２を有している。側壁１１０は、同様に、第二の案内レール溝１２６を画成する外縁部１１４を有している。案内レール溝１２４は、案内レール１２０と摺動可能に係合する一方、案内レール溝１２６は案内レール溝１２２と摺動可能に係合する。案内レールは、案内レール溝と摺動可能に係合するのに適した任意の断面を有することができ、また、案内レール溝と同一の断面を有することが好ましい。
【００１７】
［００２４］  上記の説明から、本発明の特定の実施の形態を説明の目的のために説明したが、本発明の思想又は範囲から逸脱せずに、色々な改変を為すことが可能であることことが理解されよう。このため、上記の詳細な説明は、限定的なものではなく、単に説明のためであることを意図するものであり、また、全ての等価物を含んで、特許請求の範囲は、本発明とみなされる主題事項を特に指摘し且つ明確に権利主張するものであることを理解すべきである。
【図面の簡単な説明】
【００１８】
【図１】足載せ部が作動位置にある、本発明による乗物玩具の１つの実施の形態を示す側面図である。
【図２】足載せ部が格納位置にある、図１の乗物玩具の側面図である。
【図３】図２の乗物玩具の頂面図である。
【図４】図２の乗物玩具の底面図である。
【図５】図１−図４の乗物玩具の足載せ部を示す拡大斜視図である。
【図６】図５の足載せ部の正面図である。
【図７】図２の線７−７に沿った図１−図４の乗物玩具を示す断面図である。
【符号の説明】
【００１９】
２０    乗物玩具
２２    本体
２４ａ、２４ｂ    前車輪
２６ａ、２６ｂ    後車輪
２７    操縦ハンドル
２８    操作レバー
２９    シート
３０    キャスタ
３６    足載せ部
４０    開口部
１０２    底部壁
１０４    前端壁
１０６    後端壁
１０８    第一の側壁
１１０    第二の側壁
１１２、１１４    外縁部
１１６    ハンドル
１２０    第一の案内レール
１２２    第二の案内レール
１２４    第一の案内レール溝
１２６    第二の案内レール溝
【図１】
2009143558.tif 000003
【図２】
2009143558.tif 000004
【図３】
2009143558.tif 000005
【図４】
2009143558.tif 000006
【図５】
2009143558.tif 000007
【図６】
2009143558.tif 000008
【図７】
2009143558.tif 000009
【外国語明細書】
2009143558000001.pdf